(57)【要約】【課題】払い出し装置内で球詰まりが発生した場合に、払い出し装置をパチンコ機本体から取り外さなくても、容易に球詰まりを解消する。【解決手段】払い出し装置３２のケースであって、その下部に通路形成部を設ける。この通路形成部を、湾曲面７１、湾曲面７１から突設される２つのリブから構成する。また、ストッパ８０の上部に、湾曲面７１と略平行となる湾曲面８３ａを備えた湾曲板を設ける。本体部材４に払い出し装置３２を組み付けた後、ストッパ８０を組み付けると、湾曲面７１、２つのリブの側面のうち、対峙する側面７２ａ，７３ａ、ストッパ８０の湾曲面８３ａによって囲まれた送出通路９０が形成される。この送出通路９０で球詰まりが発生した場合にはストッパ８０を取り外し、球詰まりの原因となるパチンコ球を抜く。【選択図】図１０
2007236762.tif 000002
【特許請求の範囲】
【請求項１】
複数列に整列された遊技球を交互に払い出す払い出し装置と、
前記払い出し装置が組み付けられる本体部材と、
前記本体部材に組み付けられ、前記払い出し装置の下方への移動を規制するストッパと、
前記払い出し装置によって払い出される遊技球を１列に整列した状態で送り出す送出通路と、を備えた遊技機において、
前記送出通路は、前記払い出し装置に設けられる第１通路構成部と、前記ストッパに設けられる第２通路構成部とから構成され、
前記払い出し装置及びストッパを前記本体部材にそれぞれ組み付けたときに、前記第１通路構成部と前記第２通路構成部とによって前記送出通路が形成されることを特徴とする遊技機。
【請求項２】
前記ストッパは、前記払い出し装置に設けられた位置決め部に挿入される位置決め片を備えていることを特徴とする請求項１記載の遊技機。
【請求項３】
前記ストッパは、前記本体部材に設けられた係合孔に係合する係止片を備えていることを特徴とする請求項１又は２記載の遊技機。
【発明の詳細な説明】
【技術分野】
【０００１】
本発明は、遊技を行って入賞を得た場合に、賞球としてのパチンコ球が払い出される例えばパチンコ機等の遊技機に関するものである。
【背景技術】
【０００２】
パチンコ店などの遊技場に配設される遊技機の一つにパチンコ機が挙げられる。このパチンコ機では、遊技球を遊技領域に打ち出し、遊技領域内に設けられた入賞装置に入賞することで、入賞に対する賞球としての遊技球が払い出される。この遊技球の払い出しは、パチンコ機の背面に設けられた払い出し装置が作動することで行われる。
【０００３】
例えば上述した払い出し装置は、パチンコ機に設けられた貯留部から払い出し装置内に送り込まれる２列の落下通路と、この落下通路の下流側端部に設けられ、各落下通路の内部を案内される遊技球を交互に送り出す送り出し機構と、送り出し機構の下流側に設けられ、交互に送り出される遊技球を１列に整列させて送り出す送り出し通路を備えた構成からなる。このような払い出し通路の場合、送り出し機構によって送り出される遊技球は、送り出し通路内で２列から１列に整列された状態に変化するため、送り出し通路内で球詰まりが発生することが多い。
【０００４】
このような払い出し装置は、パチンコ機本体（本体部材）に爪結合を用いて組み付けることが一般的である（特許文献１など）。このような方法で払い出し装置をパチンコ機本体に組み付けることで、払い出し装置の組み付け、及び取り外しを容易に行えるので、球詰まりを解消する際の作業を迅速に行うことができ便利である。
【０００５】
しかしながら、払い出し装置を爪結合などでパチンコ機本体に組み付けた場合、パチンコ機本体に組み付けられる他の装置の振動や、払い出し装置自体の振動により、払い出し装置がパチンコ機本体から脱落してしまう恐れがある。このため、パチンコ機本体に爪結合などで払い出し装置を組み付けた後、払い出し装置の下端を保持するストッパをパチンコ機本体に組み付けることが提案されている（特許文献２など）
【特許文献１】特開平７−３２３１１８号公報
【特許文献２】特開２０００−１３５３５４号公報
【発明の開示】
【発明が解決しようとする課題】
【０００６】
しかしながら、このようなストッパを設けた場合、払い出し装置自体を交換する、或いはメンテナンスを行うときには、ストッパを取り外した後、払い出し装置をパチンコ機本体から取り外す必要があり、その取り外し作業が面倒であるという欠点がある。また、この他に、遊技場の店員などは、払い出し装置の内部構成や、払い出し装置内で発生した球詰まりの解消方法を理解していない場合が多く、遊技機本体から取り外した払い出し装置を分解するなど、不必要な作業を行ってしまうという問題もある。例えば、払い出し装置を、球詰まりを容易に解消させる構造にすることも考えられるが、そのような構造にしてしまうと部品点数が多くなることから、パチンコ機の製造コストが上昇してしまう。
【０００７】
本発明は、上記課題を解決するためになされたものであり、払い出し装置内で球詰まりが発生した場合に、払い出し装置をパチンコ機本体から取り外さなくても、容易に球詰まりを解消することができるようにした遊技機を提供することを目的とする。
【課題を解決するための手段】
【０００８】
上記目的を達成するために、本発明の遊技機は、複数列に整列された遊技球を交互に払い出す払い出し装置と、前記払い出し装置が組み付けられる本体部材と、前記本体部材に組み付けられ、前記払い出し装置の下方への移動を規制するストッパと、前記払い出し装置によって払い出される遊技球を１列に整列した状態で送り出す送出通路と、を備えた遊技機であって、前記送出通路は、前記払い出し装置に設けられる第１通路構成部と、前記ストッパに設けられる第２通路構成部とから構成され、前記払い出し装置及びストッパを前記本体部材にそれぞれ組み付けたときに、前記第１通路構成部と前記第２通路構成部とによって前記送出通路が形成されることを特徴とする。
【０００９】
また、前記ストッパは、前記払い出し装置に設けられた位置決め部に挿入される位置決め片を備えていることを特徴とする。
【００１０】
また、前記ストッパは、前記本体部材に設けられた係合孔に係合する係止片を備えていることを特徴とする。
【発明の効果】
【００１１】
本発明の遊技機によれば、複数列に整列された遊技球を交互に払い出す払い出し装置と、前記払い出し装置が組み付けられる本体部材と、前記本体部材に組み付けられ、前記払い出し装置の下方への移動を規制するストッパと、前記払い出し装置によって払い出される遊技球を１列に整列した状態で送り出す送出通路と、を備えた遊技機であって、前記送出通路は、前記払い出し装置に設けられる第１通路構成部と、前記ストッパに設けられる第２通路構成部とから構成され、前記払い出し装置及びストッパを前記本体部材にそれぞれ組み付けたときに、前記第１通路構成部と前記第２通路構成部とによって前記送出通路が形成されるから、例えば、送出通路の内部で球詰まりが発生した場合には、ストッパを取り外すだけで容易に送出通路内で発生した球詰まりを解消することができる。また、払い出し装置、及びストッパの構成の一部を変更するだけで済むので、製造コストを上昇させる必要もない。
【００１２】
また、前記ストッパは、前記払い出し装置に設けられた位置決め部に挿入される位置決め片を備えているから、払い出し装置の脱落を防止するストッパで略水平方向の位置決めを行うことが可能になり、払い出し装置の略水平方向での位置決めを安価に行うことができる。また、遊技機の上下方向において、払い出し装置の下方への移動を規制するためのスペース、つまりストッパを組み付ける際のスペースのみを確保すればよく、球通路を設置するためのスペースを確保しやすくなる。
【００１３】
また、前記ストッパは、前記本体部材に設けられた係合孔に係合する係止片を備えているから、ストッパを本体部材に組み付ける際に、払い出し装置に対する位置決めも同時に行われることになる。
【発明を実施するための最良の形態】
【００１４】
図１に、本発明を用いたパチンコ機の外観を示す。このパチンコ機２は、固定枠３に対して回動自在に組み付けられる本体部材４に、上部扉５及び下部扉６からなる２枚の前面扉７が本体部材４に対して回動自在となるように、図示しないヒンジ部を介して組み付けられた構成からなる。
【００１５】
上部扉５の中央には開口５ａが設けられており、この開口５ａは上部扉５の裏側に組み付けられるガラス等の透光性を有する部材により遮蔽されている。上部扉５が閉じているときには、この開口５ａを介して遊技領域１０を視認することが可能となる。
【００１６】
遊技領域１０には、図示しない障害釘や風車の他に、センター役物（構造物）１１が設けられている。このセンター役物１１の中央には、液晶表示装置等からなる図柄表示装置１２が露呈される。また、遊技領域１０には、スタートチャッカー１５、入賞チャッカー１６等の入賞装置の他に、アタッカ１７と呼ばれる可動入賞装置が設けられる。なお、これら入賞装置は周知であるため、ここでは、その詳細を省略する。なお、上述した入賞装置に入賞しないパチンコ球は、アウト口１８によって回収される。
【００１７】
下部扉６には、受容皿２０、操作ハンドル２１が設けられる。受容皿２０には、遊技を開始する際に遊技球が供給される他に、遊技領域１０を流下するパチンコ球が、遊技領域１０に設けられた入賞装置のいずれかに入賞したことを受けて払い出される賞球としてのパチンコ球が受容される。操作ハンドル２１は、遊技を行う際に操作され、この操作ハンドル２１の操作を受けて、内部に設けられた打出し用ボリューム（図示省略）の出力値が変化する。これを受けて、発射装置２２によるパチンコ球の打ち出し強さが変化する。なお、符号２３は払出し口であり、この払出し口２３を介して、賞球としてのパチンコ球が払い出される。
【００１８】
図２に示すように、パチンコ機２の背面でその上部には、外部からパチンコ球が供給される貯留タンク３０が設けられている。貯留タンク３０の下方には流下樋３１が設けられている。流下樋３１には貯留タンク３０内のパチンコ球が落下する。流下樋３１は図の右方に向かって下るようにゆるやかに傾斜している。貯留タンク３０から落下してきたパチンコ球は流下樋３１の傾斜に沿って流下する。流下樋３１から排出されたパチンコ球は払い出し装置３２に向かって流下する。払い出し装置３２は、流下してきたパチンコ球をその下流側に配置された球通路ユニット３３内に払い出す。球通路ユニット３３に流下したパチンコ球は受容皿２０に流下する。なお、球通路ユニット３３の背面には、払い出し装置３２の駆動制御を行う払い出し制御基板が収納された基板ケース３４が一体に取り付けられている。なお、この基板ケース３４の図２中左方には、パチンコ機２への給電を行う電源装置３５が組み付けられている。
【００１９】
図３は、本体部材４の背面側の構成を示す斜視図である。この本体部材４は、その中央が開口された枠形状から構成されている。この本体部材４には、その前面側から遊技板ユニットが組み付けられ、その背面側には、上述した貯留タンク３０や、流下樋３１、払い出し装置３２、球通路ユニット３３等の構造物の他に、払い出し制御基板が収納された基板ケース３４や電源装置３５が組み付けられる。この本体部材４の図３中右側の背面４ａにはリブ４０が形成されている。リブ４０は、払い出し装置３２を取り付けるための領域が区画されており、払い出し装置３２はリブ４０の内側に取り付けられる。リブ４０の内側には、払い出し装置３２を仮固定する際に用いられる係止部４１及び係止爪４２が形成されている。係止部４１と本体部材４の背面４ａとの間には隙間が形成されており、この隙間に、払い出し装置３２に設けられたフック６２（図４参照）が挿入される。係止爪４２は、リブ４０で囲まれた領域内でその下方に配置されている。この係止爪４２は前後方向に弾性が付与されている。
【００２０】
また、略垂直方向（本体部材４の上下方向）に延びるリブ４０の内壁には、突起４３，４４が形成されている。リブ４０はその一部がクランク状に折れ曲がっており、突起４３，４４は折れ曲がった部分から下方に突出している。突起４３と本体部材４の背面４ａとの間には隙間が形成されている。この隙間に払い出し装置３２に設けられた突起６４（図４参照）が挿入される。同様にして、突起４４と本体部材４の背面４ａとの間には隙間が形成されており、払い出し装置３２に設けられた突起６５（図４参照）が挿入される。
【００２１】
本体部材４であって、リブ４０の下端部を跨ぐように係合孔４５が設けられている。また、このリブ４０の外側の領域にも同一形状の係合孔４６が設けられている。これら係合孔４５，４６には、ストッパ８０の係止片８１，８２（図６参照）がそれぞれ挿通される。
【００２２】
図４及び図５に示すように、払い出し装置３２は、縦長な略直方体形状のケース５０の内部に、落下通路５１，５２、送り出し機構５３やモータ（図示せず）などが収納された構成からなる。このケース５０の上面５０ａには、開口６０，６１が形成されている。この開口６０，６１は落下通路５１，５２の上端側とそれぞれ連通している。また、このケース５０の側面５０ｂには、フック６２及び係止部６３が形成されている。フック６２はケース５０の側面５０ｂの上端部に、且つ、上方に突出するように形成されている。このフック６２は、本体部材４の背面４ａに設けられた係合部４１と係合される。また、係止部６３はケース５０の側面５０ｂの下端部に形成されている。この係止部６３は払い出し装置３２を本体部材４に仮固定する際に、本体部材４の背面４ａに設けられた係止爪４２が挿入される。
【００２３】
また、このケース５０の側面５０ｃ，５０ｄには、それぞれ突起６４，６５が形成されている。突起６４は、払い出し装置３２を本体部材４に仮固定する際に、リブ４０に形成された突起４３と本体部材４の背面４ａとの隙間に入り込む。また、突起６５は、払い出し装置３２を本体部材４に仮固定する際に、リブ４０に形成された突起４４と本体部材４の背面４ａとの隙間に入り込む。
【００２４】
落下通路５１，５２は、それぞれ蛇行しながら落下する通路から構成される。これにより、流下樋３１から払い出し装置３２に供給されるパチンコ球は、２列に整列された状態を保持しながら、払い出し装置３２の内部を落下する。送り出し機構５３は、例えばモータ（図示せず）により駆動する。この送り出し機構５３としては、例えば回転軸方向に所定の間隔を空けて設けられ、且つそれぞれの回転軸が同軸となるように配置された２枚のスプロケット等から構成される。詳細は記載しないが、このスプロケットは、円板の外周縁部に切り欠き部を１２０°間隔を空けて設けた形状からなり、２枚のスプロケットが、６０°の位相をずらして配置される。これにより、この送り出し機構５３が作動することによって、それぞれの落下通路５１，５２の最下端に位置するパチンコ球が交互に送り出される。
【００２５】
このケース５０の下部には、送出通路９０（図１０参照）を構成する通路形成部（第１通路構成部）７０が設けられている。この通路形成部７０は、湾曲面７１と、この湾曲面７１から突設されるリブ７２，７３とを備えている。これらリブ７２，７３は、その曲面からの高さは、パチンコ球１個の直径よりも広く、パチンコ球２個分の直径よりも狭くなる範囲で設けられている。また、リブ７２の側面７２ａと，リブ７３の側面７３ａとの間隔は下流側に向けて短くなるように、より具体的には、これらリブ７２，７３の下流側端部の間隔はパチンコ球１個の直径よりも広く、パチンコ球２個分の直径よりも狭くなる範囲で設けられている。つまり、送出通路９０は、送り出し機構５３によって送り出されるパチンコ球を２列から１列に整列して送り出す。また、この通路形成部７０の近傍であって、ケース５０の側面５０ｅの下端部には挿通孔（位置決め部）７５を備えた係合片７６が設けられている。この係合片７６と、通路形成部７０との間は隙間が設けられている。この隙間には、後述するストッパ８０の係止片８４が挿入された後、挿通孔７５に係合される。
【００２６】
図６及び図７に示すように、ストッパ８０は、本体部材４に仮固定された払い出し装置３２が下方にずれることを規制するために設けられている。このストッパ８０は、本体部材４に仮固定された払い出し装置３２に位置決めされた状態で、本体部材４に固定される。このストッパ８０は、略方形状の基部８０ａを備えている。この基部８０ａの上部には球検知センサ（図示省略）が収納される収納部８０ｂと、この収納部８０ｂに連通する通路８０ｃとを備えている。なお、詳細は記載しないが、この球検知センサは、送出通路９０によって１列に整列されたパチンコ球を検知するために設けられている。通路８０ｃは、送出通路９０によって１列に整列された状態で送り出されたパチンコ球を球通路ユニット３３に向けて落下させる。
【００２７】
この基部８０には、図７中左方に突出する係止片８１，８２が、所定の間隔を空けて設けられている。係止片８１は本体部材４に設けられた係合孔４５に、係止片８２は本体部材４に設けられた係合孔４６にそれぞれ挿通されることで係合される。なお、これら係止片８１，８２は、左右方向に弾性が付与されている。
【００２８】
また、基部８０ａの上面であって、係合爪８１，８２が突出する端部とは反対側となる端部から突出し、且つその先端部が係合爪８１，８２の突出方向と同じ方向に湾曲する湾曲板（第２通路構成部）８３を備えている。この湾曲板８３は、払い出し装置３２に仮固定された本体部材４にストッパ８０を固定すると、通路形成部７０の湾曲面７１に対面する位置に保持される。これにより、湾曲面７１、リブ７２の側面７２ａ，リブ７３の側面７３ａ、及び湾曲板８３の湾曲面８３ａに囲まれた領域が送出通路９０となる。なお、この湾曲板８３の湾曲面８３ａと、通路形成部７０の湾曲面７１とは、略平行となるようにそれぞれ設けられている。また、この湾曲板８３の湾曲面８３ａとは反対側の面８３ｂには、Ｌ字形状の係止片（位置決め片）８４が設けられている。この係止片８４は、ストッパ８０を本体部材４に固定する際に、前記払い出し装置３２の係合片７６と通路形成部７０との隙間に入り込み、係合片７６の内側から位置決め孔７５に挿通される。これにより、払い出し装置３２に対するストッパ８０の位置決めが行われる。
【００２９】
次に、本発明の作用について説明する。払い出し装置３２は、以下のようにして本体部材４に組み付けられる。図８に示すように、まず、払い出し装置３２のケース５０の側面５０ｂを本体部材４の背面４ａに当接させる。その後、払い出し装置３２を図８中上方にスライドさせ、リブ４０の内側に設けられた係止部４１と本体部材４の背面４ａとの隙間に、カバー５０に設けられたフック６２を挿入させる。また、払い出し装置３２のスライドにより、ケース５０の側面５０ｃに設けられた突起６４が、リブ４０の内側に設けられた突起４３と本体部材４の背面４ａとの隙間に入り込む。同様にして、ケース５０の側面５０ｄに設けられ突起６５が、リブ４０の内側に設けられた突起４４と本体部材４の側面４ａとの隙間に入り込む。さらに、ケース５０の側面５０ｂに設けられた係止部６３に、本体部材４に設けられた係止爪４２が挿入される。これにより、払い出し装置３２が本体部材４の背面４ａに仮固定される（図９参照）。
【００３０】
この状態で、ストッパ８０を本体部材４に組み付ける。図９に示すように、ストッパ８０の係止片８４を払い出し装置３２の係合片７６と通路形成部７０との間に設けられた隙間に挿入した後、係止片８４の先端を挿通孔７５に挿入し係合させる。そして、係止片８４と挿通孔７５との係合を中心にしてストッパ８０を回転させ、係止片８１，８２を本体部材４に設けられた係合孔４５，４６にそれぞれ挿通させる。係止片８１，８２を係合孔４５，４６にそれぞれ挿入させると、係止片８１，８２が弾性変形された後に、係止片８１，８２が係合孔４５，４６に係合される。このとき、図１０に示すように、湾曲板８３の湾曲面８３ａと、湾曲面７１、リブ７２，７３の側面７２ａ，７３ａとに囲まれた送出通路９０が形成される。なお、このとき、ストッパ８０は、払い出し装置３２の下部に当接された状態で保持されるので、払い出し装置３２の上下方向のズレを防止することになる。また、ストッパ８０を本体部材４に組み付ける際に、係止片８４を挿通孔７５に係合させることで、ストッパ８０の前後方向の位置決めも行うことができる。
【００３１】
このようにして払い出し装置３２、ストッパ８０が組み付けられたパチンコ機２で遊技が行われたときに、払い出し装置３２が作動し、パチンコ機の払い出しの際に送出通路９０の内部で球詰まりが発生することがある。この場合、遊技場の店員は、ストッパ８０の係止片８１，８２を指で挟み込む。これにより、係止片８１，８２が弾性変形するので、図１１中Ａ方向にストッパ８０を引き出すと、ストッパ８０が本体部材４から取り外す。ストッパ８０を本体部材４を取り外すと、払い出し装置３２の通路形成部７０が露呈され（図９参照）球詰まりしたパチンコ球を取り除くことができる。これにより、遊技場の店員は、ストッパ８０を取り外すだけで、送出通路９０の内部で発生した球詰まりを容易に解消することができる。なお、球詰まりを解消した後には、ストッパ８０を本体部材４に組み付けるだけでよい。
【００３２】
本実施形態では、払い出し装置に設けられる通路形成部を、曲面と、曲面から突出するリブとから構成し、ストッパに湾曲面を備えた湾曲板によってリブを当接させる構成にしたが、これに限定する必要はなく、例えば、ストッパの湾曲面にリブを設けることも可能である。また、この他に、つまり、送り出し機構によって送り出されたパチンコ球を１列に整列させる通路（本実施形態における送出通路）を設けることも可能である。
【００３３】
上記実施形態では、遊技機としてパチンコ機を例に挙げて説明したが、払い出し装置から払い出された遊技球が球通路から受け皿に流下する遊技機であれば、本発明を適用できる。
【図面の簡単な説明】
【００３４】
【図１】パチンコ機の前面の外観を示す斜視図である。
【図２】パチンコ機の背面の外観を示す斜視図である。
【図３】本体部材の背面側の構成を示す斜視図である。
【図４】払い出し装置の外観を示す斜視図である。
【図５】払い出し装置の外観を示す斜視図である。
【図６】ストッパの外観形状を示す斜視図である。
【図７】ストッパの外観形状を示す斜視図である。
【図８】払い出し装置を本体部材に仮固定する際の斜視図である。
【図９】払い出し装置が仮固定された本体部材にストッパを組み付ける際の斜視図である。
【図１０】ストッパが本体部材に組み付けられることで、送出通路が形成された状態を示す斜視図である。
【図１１】ストッパを取り外す際の様子を示す斜視図である。
【符号の説明】
【００３５】
２  パチンコ機
４  本体部材
３２  払い出し装置
４５，４６  係合孔
７０通路形成部（第１通路構成部）
７５  位置決め孔（位置決め部）
８０  ストッパ
８１，８２  係止片
８３  湾曲板（第２通路構成部）
８４  係止片（位置決め片）
９０  送出通路
【図１】
2007236762.tif 000003
【図２】
2007236762.tif 000004
【図３】
2007236762.tif 000005
【図４】
2007236762.tif 000006
【図５】
2007236762.tif 000007
【図６】
2007236762.tif 000008
【図７】
2007236762.tif 000009
【図８】
2007236762.tif 000010
【図９】
2007236762.tif 000011
【図１０】
2007236762.tif 000012
【図１１】
2007236762.tif 000013